(57)【要約】［課題］波長分割多重方式の光通信において、予備の光送受信部を持つことによる信頼性の向上と適切な制御による省電力性を兼ね備えた光伝送装置を得る。［解決手段］光伝送装置を光スイッチ手段４０と、複数の光送受信手段４１と、制御手段４２とで構成する。光スイッチ手段４０は、入力された光信号を任意の経路へ出力する。光送受信手段４１は、光スイッチ手段４０からの光信号の受信と光スイッチ手段４０への光信号の送信を行う。制御手段４２は各制御を行う。光送受信手段４１は光信号の送受信を行う通常モード、待機状態である第１の待機モード及び第１の待機モードよりも消費電力の小さい第２の待機モードの３つの動作状態で稼働する。制御手段４２は第１の待機モードの光送受信手段を通常モードへ移行させ、第２の待機モードの光送受信手段を第１の待機モードまたは通常モードへと移行させる手段を有する。
2014017083.tif 000002
【特許請求の範囲】
【請求項１】
入力された光信号を任意の経路へ出力する光スイッチ手段と、
前記光スイッチ手段からの光信号の受信及び前記光スイッチ手段への光信号の送信を行う複数の光送受信手段と、
前記光スイッチ手段及び光送受信手段の制御を行う制御手段とを備え、
前記光送受信手段は光信号の送受信を行う通常モード、光信号の送受信を行わない待機状態である第１の待機モード及び前記第１の待機モードよりも待機状態での消費電力の小さい第２の待機モードの３つの異なる動作状態で稼働する手段を有し、
前記制御手段は前記第１の待機モードの光送受信手段を前記通常モードへ移行させ、前記第２の待機モードの光送受信手段を前記第１の待機モードまたは通常モードへと移行させる手段を有することを特徴とする光伝送装置。
【請求項２】
前記第１の待機モードから通常モードへの移行に要する時間よりも前記第２の待機モードから前記第１の待機モードまたは通常モードへの移行に要する時間の方が長いことを特徴とする請求項１に記載の光伝送装置。
【請求項３】
前記制御手段は、前記第１の待機モードの光送受信手段を前記通常モードに移行させ、前記第１の待機モードから前記通常モードへ移行した前記光送受信手段と同数の前記第２の待機モードの光送受信手段を第１の待機状態へと移行させる手段を有することを特徴とする請求項１または２いずれかに記載の光伝送装置。
【請求項４】
前記第１の待機モードの光送受信手段の数よりも前記通常モードの光送受信手段の数の方が多いことを特徴とする請求項１から３いずれかに記載の光伝送装置。
【請求項５】
前記光送受信手段における光信号の送受信状況の異常の有無を監視するモニター手段をさらに有し、
前記モニター手段で異常を検知した際に、前記制御手段は障害が発生した前記通常モードの光送受信手段と同数の前記第１の待機モードの光送受信手段を前記通常モードへと移行させ、さらに同数の前記第２の待機モードの光送受信手段を前記第１の待機モードへと移行させる手段を有することを特徴とする請求項１から４いずれかに記載の光伝送装置。
【請求項６】
前記通常モードの光送受信手段には所定の基準により優先度が設定され、
前記モニター手段により優先度の低い前記通常モードの光送受信手段での異常を検知した際に、前記制御手段は異常を検知した前記通常モードの光送受信手段と同数の前記第２の待機モードの光送受信手段を前記通常モードへと移行させる手段を有することを特徴とする請求項１から５いずれかに記載の光伝送装置。
【請求項７】
前記所定の基準が通信量であることを特徴とする請求項６に記載の光伝送装置。
【請求項８】
前記所定の基準が前記光送受信手段の有する光源の駆動電流の値であることを特徴とする請求項６に記載の光伝送装置。
【請求項９】
請求項１から８いずれかに記載の複数の光伝送装置からなることを特徴とする光ネットワークシステム。
【請求項１０】
光信号の送信及び受信を行う光送受信手段を光信号の送受信を行う通常モード、光信号の送受信を行わない待機状態である第１の待機モード及び前記第１の待機モードよりも待機状態での消費電力の小さい第２の待機モードの３つの異なる動作状態とし、
前記第１の待機モードの光送受信手段を前記通常モードへ移行させ、前記第２の待機モードの光送受信手段を前記第１の待機モードまたは通常モードへと移行させることを特徴とする光伝送装置の制御方法。
【請求項１１】
前記第１の待機モードから通常モードへの移行に要する時間よりも前記第２の待機モードから前記第１の待機モードまたは通常モードへの移行に要する時間の方が長いことを特徴とする請求項１０に記載の光伝送装置の制御方法。
【請求項１２】
前記第１の待機モードの光送受信手段を前記通常モードに移行する際に、前記第１の待機モードから前記通常モードへ移行した前記光送受信手段と同数の前記第２の待機モードの光送受信手段を第１の待機状態へと移行することを特徴とする請求項１０または１１いずれかに記載の光伝送装置の制御方法。
【請求項１３】
前記第１の待機モードの光送受信手段の数よりも前記通常モードの光送受信手段の数の方が多いことを特徴とする請求項１０から１２いずれかに記載の光伝送装置の制御方法。
【請求項１４】
前記光送受信手段における光信号の送受信状況の異常の有無を監視し、
異常を検知した際に、障害が発生した前記通常モードの光送受信手段と同数の前記第１の待機モードの光送受信手段を前記通常モードへと移行し、
さらに同数の前記第２の待機モードの光送受信手段を前記第１の待機モードへと移行することを特徴とする請求項１０から１３いずれかに記載の光伝送装置の制御方法。
【請求項１５】
前記通常モードの光送受信手段に所定の基準により優先度を設定し、
優先度の低い前記通常モードの光送受信手段での異常を検知した際に、異常を検知した前記通常モードの光送受信手段と同数の前記第２の待機モードの光送受信手段を前記通常モードへと移行することを特徴とする請求項１０から１４いずれかに記載の光伝送装置の制御方法。
【請求項１６】
前記所定の基準が通信量であることを特徴とする請求項１５に記載の光伝送装置の制御方法。
【請求項１７】
前記所定の基準が前記光送受信手段の有する光源の駆動電流の値であることを特徴とする請求項１５に記載の光伝送装置の制御方法。
【発明の詳細な説明】
【技術分野】
【０００１】
本発明は、光通信に関する技術であり、特に波長分割多重方式の光伝送装置およびその制御方法に関するものである。
【背景技術】
【０００２】
情報社会の発展とともに情報の通信量が飛躍的に増大している。それにともない、高速で大容量の通信が可能な光通信が広く用いられるようになっている。また、情報通信の社会的重要性が増しているため、通信ネットワークの信頼性への要求が高まっている。【０００３】
光通信分野においても通信量の増大や通信の信頼性への要求に対応する様々な技術開発が行われている。一方で、大容量で信頼性の高いネットワークを構成するため、ネットワークの構成は複雑化し、使用する光伝送装置の数も増大している。それに伴い、光ネットワークシステムやそれに用いられる光伝送装置での消費電力も増大している。そのため、信頼性を維持しつつ省電力化が可能な光ネットワークシステムやそれらに用いられる光伝送装置の重要性が高まっており、関連技術の開発も盛んに行われている。例えば、特許文献１では光伝送装置の信頼性を向上させるための技術が開示されている。【０００４】
特許文献１には、予備の光送受信部を備える波長分割多重方式の光伝送装置が示されている。特許文献１の光伝送装置は高速通信用と低速通信用の光送受信部が備えられており、高速と低速のそれぞれの通信に用いている光送受信部と同仕様の予備の光送受信部を備えている。光伝送装置は光送受信部の障害検出等の監視制御機能を有しており、光送受信部の障害検出時には予備の光送受信部へと切り替える。光伝送装置が予備の光送受信部を備えることにより、障害時に迅速な切り替えが可能であるとしている。【０００５】
また、光ネットワークシステムの省電力化の技術としては、特許文献２のような技術が開示されている。特許文献２には、光ネットワークシステムのインターフェース部の省電力化に関する技術が開示されている。特許文献２の光ネットワークシステムは、予備経路に関してのインターフェース部を備えている。予備経路のインターフェース部は、予備の経路の決定の際には省電力状態に設定され、障害が発生した際に省電力状態が解除されて通常の稼働状態として通信に使用される。予備経路のインターフェース部を省電力状態で待機させる機能により、ネットワークシステム全体の省電力化が可能であるとしている。【０００６】
特許文献３には、複数台の光送受信部からなる光伝送装置において、光送受信部の電源供給のタイミングを制御する技術が開示されている。特許文献３の光送受信部は、通常動作モードと２つの省電力動作モードを有している。光送受信部が省電力モードから通常動作モードへと切り替えられるときに、光送受信部への電源供給のタイミングが制御される。特許文献３は、光送受信部の通常モードへの切り替えのタイミングを制御し、急激な電圧降下を抑えることにより誤動作を回避できるとしている。
【先行技術文献】
【特許文献】
【０００７】
【特許文献１】特開２０１２−４８００号公報
【特許文献２】特開２００９−１００４４２号公報
【特許文献３】特開２００９−７１３４５号公報
【発明の概要】
【発明が解決しようとする課題】
【０００８】
しかしながら、特許文献１に開示された技術には次のような課題がある。特許文献１に記載されている光伝送装置は予備の光送受信部を備えている。しかし、特許文献１では、光送受信部の電源管理等の技術については開示されていない。よって、光伝送装置の信頼性を向上させるために光送受信部の予備の数を増やすと、電力消費量が増大する恐れがある。【０００９】
特許文献２に開示された技術は、省電力状態で予備のインターフェース部を備えておき障害発生時に切り替えて使用するというものである。しかしながら、光送受信部のように光伝送装置で重要な構成部分を個々の機器ごとに細かく制御する技術は開示されていない。よって、信頼性を向上させるためには一定の範囲をまとめて動かす必要があり、省電力化が不十分となる恐れがある。【００１０】
特許文献３では、通常の動作モードと２種類の省電力での動作モードの光送受信部を備える構成が開示されている。しかしながら、実際の通信が行われているときに予備の光送受信部の動作モードを個別に切り替えて使用することは開示されていない。そのため、光伝送装置や光ネットワークシステムの障害対応等での信頼性向上の技術としては用いることができない。【００１１】
本発明は、予備の光送受信部を持つことによる信頼性の向上と適切な制御による省電力性を兼ね備えた光伝送装置を得ることを目的としている。
【課題を解決するための手段】
【００１２】
上記の課題を解決するため、本発明の光伝送装置は、光スイッチ手段と、複数の光送受信手段と、制御手段とを備えている。光スイッチ手段は、入力された光信号を任意の経路へ出力する。光送受信手段は、光スイッチ手段からの光信号の受信及び前記光スイッチ手段への光信号の送信を行う。制御手段は光スイッチ手段と光送受信手段の制御を行う。光送受信手段は光信号の送受信を行う通常モード、光信号の送受信を行わない待機状態である第１の待機モード及び第１の待機モードよりも待機状態での消費電力の小さい第２の待機モードの３つの異なる動作状態で稼働する。制御手段は第１の待機モードの光送受信手段を通常モードへ移行させ、第２の待機モードの光送受信手段を第１の待機モードまたは通常モードへと移行させる手段を有する。【００１３】
本発明の光伝送装置の制御方法は、光信号の送信及び受信を行う光送受信手段を３つの異なる動作状態とする。３つの異なる動作状態は、光信号の送受信を行う通常モード、光信号の送受信を行わない待機状態である第１の待機モード及び前記第１の待機モードよりも待機状態での消費電力の小さい第２の待機モードとする。また、本発明の光伝送装置の制御方法は、第１の待機モードの光送受信手段を前記通常モードへ移行させ、第２の待機モードの光送受信手段を第１の待機モードまたは通常モードへと移行させる。
【発明の効果】
【００１４】
本発明によれば、素子の一部が起動された状態にある待機状態の光送受信部を予備として備えているため、光信号の送受信に用いている光送受信部を予備の光送受信部に短時間で切り替えることが可能となる。光送受信部に不具合が生じたときにも、短時間での切り替えにより通信の停止時間を短くすることができるため、光伝送装置の信頼性が向上する。また、予備の光送受信部を２段階の待機モードで備えているため、電力使用量の大きい待機モードの光送受信手段の数を少なくすることができる。よって、本実施形態の光伝送装置では、信頼性の向上と省電力化の両立が可能となる。
【図面の簡単な説明】
【００１５】
【図１】本発明の第１の実施形態の構成の概要を示す図である。
【図２】本発明の第２の実施形態の構成の概要を示す図である。
【図３】本発明の第２の実施形態の構成の一部を示す図である。
【図４】本発明の第２の実施形態の構成の一部を示す図である。
【図５】本発明の第２の実施形態の構成の一部を示す図である。
【図６】本発明の第２の実施形態における構成の例を示す図である。
【図７】本発明の第２の実施形態における構成の例を示す図である。
【図８】本発明の第２の実施形態における構成の例を示す図である。
【図９】本発明の第２の実施形態における構成の例を示す図である。
【図１０】本発明の第２の実施形態における動作の例を示す図である。
【図１１】本発明の第２の実施形態における構成の例を示す図である。
【図１２】本発明の第２の実施形態における構成の例を示す図である。
【図１３】本発明の第２の実施形態における構成の例を示す図である。
【図１４】本発明の第３の実施形態の構成の概要を示す図である。
【図１５】本発明の第３の実施形態における構成の例を示す図である。
【図１６】本発明の第３の実施形態における構成の例を示す図である。
【図１７】本発明の第３の実施形態における構成の例を示す図である。
【図１８】本発明の第３の実施形態における動作の例を示す図である。
【図１９】本発明の第３の実施形態における構成の例を示す図である。
【図２０】本発明の第３の実施形態における構成の例を示す図である。
【図２１】本発明の第３の実施形態における動作の例を示す図である。
【図２２】本発明の第３の実施形態における測定値の例を示す図である。
【図２３】本発明の第４の実施形態の構成の概要を示す図である。
【発明を実施するための形態】
【００１６】
本発明の第１の実施形態について図１を参照して詳細に説明する。図１は本実施形態の光伝送装置の構成の概要を示すものである。
【００１７】
本実施形態の光伝送装置は制御部１１と、光送受信部１２と、送信側光スイッチ部１３と、受信側光スイッチ部１４と、合波部１５と、分波部１６とを備えている。本実施形態の光伝送装置には、光送受信部１２は複数備えられ、送信側光スイッチ部１３、受信側光スイッチ部１４、合波部１５、分波部１６はネットワークおよび装置設計に応じてそれぞれ単数または複数備えられている。
【００１８】
制御部１１は光伝送装置の全般についての制御機能を有している。制御部１１は光送受信部１２に対し、光信号の送受信の開始や停止の指示、送受信する光信号の波長の指示、待機状態の指示などの光送受信部１２の動作に関わる指示を出し、光送受信部１２を制御する。制御部１１は送信側光スイッチ部１３へ経路の切り替え指示を出し、送信側光スイッチ部１３を制御する。また、制御部１１は受信側光スイッチ部１４へも経路の切り替え指示を出し、受信側光スイッチ部１４を制御する。
【００１９】
光送受信部１２は半導体レーザーを備えており、所定の波長の光信号を送信することができる。光送受信部１２の送信できる光信号の波長は可変であり、光送受信部１２は、制御部１１からの指示に応じた所定の波長の光信号の送信を行う。所定の波長とはネットワーク全体の設計に応じて各光信号に割り振られている波長のことをいう。また、光送受信部１２はフォトダイオードを備えており、光信号を受信する機能を有している。光送受信部１２はトランスポンダと呼ばれることがある。
【００２０】
光送受信部１２は複数の動作モードで稼働する機能を有している。動作モードとは、光送受信部１２を構成する各素子の起動の有無を通信状態等に応じて制御した際に、所定の基準より分類分けされる。例えば、動作モードは装置全体の素子の何割を起動しているか等の基準により分類分けしたものをいう。動作モードは、装置全体を起動したときを基準とした電力の使用量によって分類分けすることもできる。動作モードは、動作モードごとに各素子の起動の有無を設定し、それに応じて動作モードの分類分けとして設定することもできる。
【００２１】
本実施形態の光送受信部１２の動作モードは、通常モード、高速起動モードおよび電力最小モードの３つの分類が設定されている。通常モードとは、光信号の送受信に使用されており制御部１１からの指示に即時に応答して光信号の送受信が可能な状態をいう。高速起動モードおよび電力最小モードは、光信号の送受信には使用されていない待機状態のことをいう。待機状態では、光送受信部１２を構成する素子は一部または全ての動作を停止させ電力使用を抑制している。本実施形態では高速起動モードは、光送受信部１２を構成する全素子のうち起動状態にある素子の割合が電力最小モードに比べ大きい待機状態であるとする。
【００２２】
光送受信部１２は、制御部１１からの指示に応じて、待機状態から通常モードへの移行、または、通常モードから待機状態への移行を行う機能を有する。高速起動モードは、制御部１１からの指示を受けた際、起動状態にある素子の割合が大きいため電力最小モードよりも短時間で通常モードへと移行できる。一方で、高速起動モードは、電力最小モードよりも待機状態で起動している素子の割合が大きいため、待機状態での使用電力が大きくなる。電力最小モードは、制御部１１からの指示に応じて通常起動モードへ移行する際にかかる時間が、停止している素子の割合が大きいため高速起動モードよりも長くかかる。一方で電力最小モードは、待機状態で停止している素子の割合が大きいため待機状態での使用電力が最も小さくなる。
【００２３】
高速起動モードから通常モードへ移行する時間を短くする方法としては、例えば、起動から安定化までの時間がかかる素子を光送受信部１２が待機状態でも起動状態としておく方法がある。安定化とは、例えば、信号の強弱のばらつきが装置の温度の安定化や電流の安定化により一定の範囲内に収まる状態のことなどをいう。安定化に時間がかかる素子を待機状態でも起動しておくことにより、光送受信部１２は制御部１１からの指示に応じて、短時間で通常モードへと移行することができる。一方で、電力最小モードは、安定化に時間がかかる素子などについても起動状態とはせずに、電力の使用量を抑制する。高速起動モードおよび電力最小モードでの各素子の起動の有無は、電力の使用量に応じて設定してもよい。また、電源を繰り返し入れることにより劣化が早まるような素子について、高速起動モードでは起動状態にし、電力最小モードでは起動させない状態とする設定にすることもできる。
【００２４】
送信側光スイッチ部１３および受信側光スイッチ部１４は入力された光信号の経路をマトリックス状に変換して出力する機能を有する。送信側光スイッチ部１３および受信側光スイッチ部１４には、例えば、光ＭＥＭＳ（Micro Electro Mechanical Systems）光スイッチを用いることができる。
【００２５】
送信側光スイッチ部１３は、光送受信部１２から入力される光信号を、出力側の任意のポートに出力することができる。送信側光スイッチ部１３は、制御部１１からのネットワーク全体の波長設計と光送受信部１２の波長設定の組み合わせに基づいた指示に従って経路を切り替え、制御部１１からの指示に応じた出力ポートへと光信号を出力する。
【００２６】
合波部１５は、入力された各波長の光信号を合波し多重化された光信号として出力する機能を有する。合波部１５には、例えば、アレイ導波路回折格子を用いることができる。
【００２７】
受信側光スイッチ部１４は、分波部１６で分波されて入力される光信号を、出力側の任意のポートに出力することができる。受信側光スイッチ部１４は、制御部１１からのネットワーク全体の設計と光送受信部１２の組み合わせに基づいた指示に従って経路を切り替え、制御部１１からの指示に応じた出力ポートへと光信号を出力する。受信側光スイッチ部１４から出力された各波長の光信号は、対応する光送受信部１２へと送られる。
【００２８】
分波部１６は、多重化されて入力される光信号を分波して各波長の光信号として出力する機能を有する。分波部１６には、例えば、アレイ導波路回折格子を用いることができる。
【００２９】
次に本実施形態の光伝送装置において、光送受信部１２の動作モードを変更する際の動作について説明する。光伝送装置は図１のように６台の光送受信部１２で構成されているとして説明する。このとき、光送受信部１２の動作モードは、３台が通常モード、２台が高速起動モード、１台が省電力モードであるとする。通常モードの３台の光送受信部１２のうち１台の稼働を停止し、高速起動モードのうち１台を通常モードに移行させる場合について説明する。光送受信部１２のうち通常モードから停止へ移行するものを光送受信部Ｎ１、高速起動モードから通常モードへ移行するものを光送受信部Ｐ１と呼ぶことにする。
【００３０】
制御部１１は光送受信部Ｐ１へ、通常モードへ移行する指示を送る。また、このとき制御部１１は光送受信部Ｐ１へ、光送受信部Ｐ１で用いる光信号の波長の情報も合わせて送る。光送受信部Ｐ１は、制御部１１から通常モードへ移行する指示を受けると、光信号の送受信に必要な素子の駆動を開始する。また、光送受信部Ｐ１は、制御部１１から受信した光信号の波長情報に合わせた波長に半導体レーザー部からの出力を設定する。光送受信部Ｐ１は光信号の送受信が可能な通常モードへの移行が完了すると、制御部１１へ移行が完了した情報を送る。制御部１１は送信側光スイッチ部１３を制御して光送受信部Ｎ１からの光信号が出力されていた送信側光スイッチ部１３の出力部から光送受信部Ｐ１からの光信号が出力されるようにする。また、制御部１１は受信側光スイッチ部１４を制御して、光送受信部Ｎ１へと送られていた光信号が光送受信部Ｐ１へと送られるようにする。送信側光スイッチ部１３と受信側光スイッチ部１４は、制御部１１からの指示に応じて光信号の経路の切り替えが終わると、経路の切り替えが完了した情報を制御部１１へと送る。制御部１１は、光送受信部Ｐ１、送信側光スイッチ部１３および受信側光スイッチ部１４の設定が終わったことを確認すると、光送受信部Ｎ１で行っていた光信号の送受信を光送受信部Ｐ１での送受信に切り替える。
【００３１】
制御部１１は光送受信部Ｐ１の通常モードへの移行が完了すると、省電力モードの光送受信部１２へ高速起動モードに移行する指示を出す。本実施形態では省電力モードの光送受信部１２を光送受信部Ｒ１と呼ぶことにする。光送受信部Ｒ１は制御部１１から高速起動モードへの移行指示を受けると、高速起動モードの設定状態に各素子を設定する。光送受信部Ｒ１は、高速起動モードの設定状態への各素子の設定が完了すると、制御部１１へ高速起動モードでの待機状態になった情報を送る。
【００３２】
光信号の送受信を停止した光送受信部Ｎ１は、制御部１１の指示により完全な停止状態や省電力モードでの待機状態など状況に応じた設定状態へと移行する。光送受信部Ｎ１は、異常により停止した場合には、光信号の送受信機能を停止するのみでそのままの状態で待機することもある。
【００３３】
以上により、光送受信部１２での障害発生時等において代替の光送受信部１２を使用する必要があるときに、高速起動モードから通常モードに移行させることにより、迅速に光信号の送受信が可能となる。また、省電力起動モードの光送受信部１２を、高速起動モードへ移行させることにより、さらに代替の光送受信部１２が必要になったときのために備えることができる。
【００３４】
本実施形態の光伝送装置を用いると、素子の一部が起動された状態にある待機状態の光送受信部を予備として備えているため、光信号の送受信に用いている光送受信部を予備の光送受信部に短時間で切り替えることが可能となる。光送受信部に不具合が生じたときにも、短時間での切り替えにより通信の停止時間を短くすることができるため、光伝送装置の信頼性が向上する。また、予備の光送受信部を２段階の待機モードで備えているため、電力使用量の大きい待機モードの光送受信部の数を少なくすることができる。よって、本実施形態の光伝送装置では、信頼性の向上と省電力化の両立が可能となる。
【００３５】
本発明の第２の実施形態について図２を参照して詳細に説明する。図２は本実施形態の光伝送装置の構成の概要を示すものである。本実施形態の光伝送装置は、光分岐挿入部２１と、光スイッチ部２２と、信号モニター部２３と、制御部２４と、光送受信部２５からなる。光分岐挿入部２１には各伝送路の光ファイバが接続されている。
【００３６】
光分岐挿入部２１は光クロスコネクト機能を有している。光分岐挿入部２１では各伝送路から入力された光信号は分波され、分波された光信号ごとに所定の経路へと送られた後に合波され、各伝送路へと出力される。分波された光信号の一部は分岐（Ｄｒｏｐ）され、光スイッチ部２２へと入力される。また、光送受信部２５から送信された光信号が光スイッチ部２２を経由して、光分岐挿入部２１に入力される。光分岐挿入部２１へ入力された光信号は、各伝送路へ光信号として挿入（Ａｄｄ）される。また、本実施形態では、光分岐挿入部２１には各伝送路からの光信号の経路を任意の設定とすることができるＲＯＡＤＭ（Reconfigurable Optical Add/Drop Multiplexer）が用いられているとする。光分岐挿入部２１にはＲＯＡＤＭではなく、作業者による装置や光ファイバなどの回線の組み換え作業により経路の切り替えが行われる方式のものが用いられることもある。
【００３７】
図３は本実施形態の光分岐挿入部２１の構成の概要を示している。伝送路１００からの光信号は光分岐挿入部２１へと入力される。光分岐挿入部２１へと入力された光信号は分波部１０１で各波長の光信号へ分波される。分波された各波長の光信号は光クロスコネクト部への信号群１０３と、分岐されて光スイッチ部２２へと送られる光信号に分けられ、それぞれ送信される。また、光クロスコネクト部からの信号群１０４と光スイッチ部２２から挿入される光信号は合波部１０２で合波され、光分岐挿入部２１から伝送路１００へと出力される。図３では光分岐挿入部２１で各伝送路から分岐される経路および各伝送路へ挿入される光信号の経路は１系統ずつのみ図示しているが、伝送路ごとに複数の光信号が分岐挿入され、必要に応じた数の経路が備えられることもある。
【００３８】
図３での光クロスコネクト部への信号群１０３と光クロスコネクト部からの信号群１０４の部分は光クロスコネクト部１１０に相当する。図４は光クロスコネクト部１１０の構成の概略を示している。図４では各光信号を合波して伝送路へ出力する機能部分はＴｘ、伝送路から入力された光信号を分波して他の伝送路への経路に送る機能部分はＲｘとして示されている。図３での光クロスコネクト部への信号群１０３は、図４で１つのＲｘから他のＴｘへと向かう経路に相当する。また、図３での光クロスコネクト部からの信号群１０４は、図４で１つのＴｘに他のＲｘから送られてくる経路に相当する。光クロスコネクト部では各伝送路からの光信号は分波されて他の伝送路へとそれぞれ分けられる。また、他の伝送路から送られてくる光信号は合波されて伝送路へと送られる。よって、各伝送路からの光信号は他の任意の伝送路へと送信することが可能である。各光信号の経路はネットワーク全体の設計に応じて決められている。
【００３９】
光スイッチ部２２は、制御部２４からの指示に従って光信号の経路をマトリックス状に変換する機能を有する。すなわち、光スイッチ部２２は、光送受信部２５から送信された光信号を任意の経路へ出力する機能を有する。また、光分岐挿入部２１からの光信号を任意の光送受信部２５への経路へと出力することができる。光スイッチ部２２には第１の実施形態の送信側光スイッチ部と、受信側光スイッチ部との構成および機能を合わせたものを用いることができる。
【００４０】
信号モニター部２３は光スイッチ部２２と光送受信部２５の間で送受信される光信号のモニター機能を有している。信号モニター部２３では各経路の光信号の一部が分岐され、フォトダイオードで光信号の検出が行われる。信号モニター部２３では光信号の強度の測定や、光信号の検出の有無による通信量の測定や異常の有無の監視が行われ、制御部２４へと結果が送られる。
【００４１】
制御部２４は光伝送装置の全体を制御する機能を有する。制御部２４は光スイッチ部２２の制御による光信号の経路の設定、光送受信部２５の制御による光信号の送受信、送受信する光信号の波長の設定などを行う。制御部２４は信号モニター部２３から送られてくる結果を基に、光信号の送受信状況のモニターを行う機能を有する。また、制御部２４は光送受信部２５の稼働状態の設定を制御する機能を有する。制御部２４はさらに光分岐挿入部２１での光信号の経路の制御や通信状況の監視を行う機能を有している。
【００４２】
光送受信部２５は光信号の送受信機能を有している。図５を参照して光送受信部２５の構成と機能の詳細を説明する。図５は光送受信部２５の構成のブロック図を光送受信部３０として示している。図５に示すように、光送受信部３０は光送受信制御部３１、信号送受信部３２、信号生成部３３、インターフェース部３４を備えている。また、光送受信部３０は、信号のモニター部３５および３６を備えている。光送受信制御部３１は光伝送装置全体の制御部２４からの指示に基づいて、光送受信部３０の制御全般を行う機能を有する。信号送受信部３２は光信号の送信のための半導体レーザーや受信のためのフォトダイオードを備えている。信号送受信部３２は電気信号を半導体レーザーで光信号に変換して送信し、受信した光信号をフォトダイオードで電気信号へと変換する。信号生成部３３は、インターフェース部３４側から入力された信号を伝送用の信号に変換し、また、受信した伝送用の信号をインターフェース３４側へ出力する信号に変換する。インターフェース部３４は端末装置や他の通信装置との信号の送受信を行う。モニター部３５はインターフェース部３４で入出力が行われる信号のモニターを行っている。また、モニター部３６、信号送受信部３２で入出力される信号のモニターを行っている。モニター機能により、光送受信部３０において送受信される光信号の通信量の測定や障害の有無の監視が行われる。また、光送受信部３０は第1の実施形態と同様に通常モード、高速起動モード、省電力モードの３つのモードの設定機能を有する。
【００４３】
本実施形態の光伝送装置において、光送受信部に障害が生じた際の動作について説明する。図６は本実施形態での通常時における各動作モードの光送受信部の構成の概要について示している。図６は通常モード、高速起動モードおよび電力最小モードの光送受信部群と、通常モードの光送受信部と光信号の送受信を行う光分岐挿入部であるＲＯＡＤＭを示している。図６は制御部、光スイッチ部、信号モニター部を省略して示している。
【００４４】
光送受信部は、通常モードがＮ台、高速起動モードがＭ台、電力最小モードがＬ台備えられているとする。通常モードは光信号の送受信が常時可能な設定である。通常モードの光送受信部をＮとしＮ１からＮＮまでのＮ台の光送受信部が備えられているとする。高速起動モードは、制御部からの指示に応じて短時間で通常モードに移行できる待機状態の設定である。高速起動モードの光送受信部はＰとし、Ｐ１からＰＭまでのＭ台の光送受信部が備えられているとする。また、電力最小モードは、制御部から指示を受けてから通常モードへ移行するまでの時間は高速起動モードより長いが、電力使用量の最も小さい待機状態の設定である。電力最小モードの光送受信部はＲとし、Ｒ１からＲＬのＬ台光送受信部が備えられているとする。本実施形態においては、光送受信部は波長可変型のものを用いている。よって、高速起動モードから通常モードに移行する光送受信部の設定波長は、置き換えをする通常モードで使用されている光送受信部の設定波長に合わせることができる。そのため、通常モードと高速起動モードの光伝送装置を同数準備しておく必要はない。本実施形態では、高速起動モードの光伝送装置の数が通常モードの光伝送装置より少ない数、すなわち、通常モードと高速起動モードの光伝送装置の数がＮ＞Ｍとなるように設定される。Ｎ＞Ｍを満たす所定の台数の光送受信部を高速起動モードとし、電力最小モードで待機する光送受信部を多くすることにより、光伝送装置全体での消費電力を抑えることができる。
【００４５】
図７に示したように通常モードで動作している光送受信部のうちＮ２に障害が発生したとする。制御部は通常モードの光送受信部Ｎ２の異常を検知すると、高速起動モードで待機状態にある光送受信部に通常モードへの移行指示を送る。異常は図２の信号モニター部２３で光信号が検出できなかったときなどに検知される。制御部は高速起動モードの光送受信部のうちＰ１に通常モードへの移行指示が使用する光信号の波長などとともに送られたとする。光送受信部Ｐ１は通常モードへの移行指示を受けると、制御部からの指示に基づいた設定で通常モードへと移行する。通常モードへ移行した光送受信部Ｐ１は、通常モードへの移行が完了した情報を制御部へと送る。制御部は光送受信部Ｐ１の通常モードへの移行を確認すると、光スイッチ部に経路切り替えの指示を送る。光スイッチ部は制御部から経路の切り替えの指示を受けると、光送受信部Ｎ１へ送られていた光信号がＰ１へと送られるように経路を切り替える。また、光スイッチ部は光送受信部Ｎ１から送信された光信号を出力していた経路に、Ｐ１から送信された光信号が出力されるように経路を切り替える。光スイッチ部は経路の切り替えが終わると、制御部に経路切り替えが完了した信号を送る。制御部は光スイッチ部から経路の切り替えが終わった指示を受信すると、光送受信部Ｐ１を制御してＮ１が行っていた光信号の送受信を行う。光送受信部Ｎ１に対してはＰ１への切り替え完了後に、制御部からＮ１へ各素子への電力供給を停止する指示などが出され、Ｎ１は待機状態となる。
【００４６】
図８は光送受信部Ｐ１が通常モードに移行し、Ｎ２が停止された際の光送受信部の設定ごとの概要を示している。制御部は光送受信部Ｐ１の通常モードでの使用を開始すると、減少した高速起動モードの光送受信部を補うために、電力最小モードの光送受信部を高速起動モードへと移行させる。このとき、電力最小モードへ移行する光送受信部をＲ１とする。光送受信部Ｒ１は制御部から高速起動モードへの移行指示を受けると、高速起動モードでの光送受信部Ｒ１を構成する各素子を高速起動モードの設定に切り替える。光送受信部Ｒ１は高速起動モードへの移行が完了すると、制御部へ移行が完了した情報を送る。制御部は光送受信部Ｒ１から高速起動モードへ移行が完了した情報を受けると、稼働状態の移行動作を完了する。図９は光送受信部Ｒ１から高速起動モードに移行し、移行が完了した際の光送受信部の動作モードごとの概要を示している。
【００４７】
図１０は障害発生時等に各光送受信部が動作モードを移行する際の、各部の動作を時間に対して図示している。図１０の縦方向の変化は状態に何らかの変化があったことを示す。光送受信部Ｎ２の異常が時刻Ｔｄｅｔに検知されたとする。制御部は異常を検知すると、光送受信部Ｐ１を制御し、Ｐ１の設定状態が通常モードへと移行する。光送受信部Ｐ１が通常モードに移行すると、光スイッチ部が制御され、光送受信部Ｐ１がＮ２に代わって接続された状態になる。このときの時刻Ｔｓｅｔが光信号の送受信が再開された時刻であり、Ｔｓｅｔ−Ｔｄｅｔが障害対応に必要とした時間Δｔとなる。光送受信部Ｎ１での異常を検知してから、代替の光送受信部Ｐ１での光信号の送受信を開始するまでに許容される時間Δｔは、ネットワークの設計等によって異なるが、５０ｍsec以内のような短時間が要求される。本実施形態では電力最小モードから移行する光送受信部は直ちに光信号の送受信に用いるのではないため、電力最小モードから高速起動モードへの移行する時間は、数秒単位以上で許容されることもある。
【００４８】
本実施形態では通常モードの光送受信部のうち１台のみに障害が発生した場合について説明したが、複数の光送受信部に異常が発生した場合もそれぞれの光送受信部について同様に切り替えが行われる。図１１に示すように通常モードの光送受信部Ｎ１およびＮ２の２台に障害が発生したとする。通常モードで光信号の送受信に使用している２台の光送受信部に障害が発生したので、２台の高速起動モードの光送受信部が通常モードへと移行し光信号の送受信を再開させる。図１２は光送受信部Ｐ１およびＰ２が高速起動モードから通常モードへと移行し、障害の発生したＮ１とＮ２が稼働を停止した状態を示している。高速起動モードの光送受信部が２台減少したため、電力最小モードから２台の光送受信部が高速起動モードへと移行して、さらに障害が発生したときのためなどに高速起動モードで待機する。図１３は光送受信部Ｒ１およびＲ２高速起動モードへと移行し、障害対応での移行が完了した状態を示している。
【００４９】
以上に示したように１台または複数台の通常モードの光送受信部に障害が発生した際に、高速起動モードから通常モードへの切り替えにより光信号の送受信の再開が可能である。また、電力最小モードから高速起動モードへ移行し、減少した高速起動モードの光送受信部の数を補うことにより、さらに障害が発生したときにも迅速な光信号の送受信の再開が可能となる。このように２段階で移行することより高速起動モードで待機状態にする光送受信部の数を少なくすることができるため電力の消費量が抑制できる。よって、本実施形態の光伝送装置では迅速に起動できる予備の光送受信部が待機状態にあることによる信頼性の向上と省電力化の両立が可能となる。
【００５０】
本発明の第３の実施形態について図１４を参照して説明する。図１４は本実施形態の光伝送装置において、各動作モードに光送受信部を分類した際の構成の概要を示したものである。第２の実施形態では、通常モードの光送受信部に障害が発生した際に、同数の高速起動モードの光送受信部が通常モードへと移行し代替の光送受信部として運用されていた。本実施形態では、光送受信部の優先度を基に高速起動モードから通常モードへの移行の要否が判断される。
【００５１】
本実施形態の光伝送装置の構成および機能は第２の実施形態と同様である。また、本実実施形態の光送受信部は、所定の基準により優先度が設定されている。本実施形態では光送受信部は高優先と低優先の２段階の設定に分けられているとする。所定の基準とは、例えば、通信容量の１／２以上の通信量の光信号が送受信されている光送受信部を高優先、それ以外の光送受信部を低優先とするように設定される。本実施形態の光伝送装置では図１４に示す通り、光送受信部Ｎ１、Ｎ２およびＮ３の３台の通常モードの光送受信部が高優先設定となっているとする。また、光送受信部Ｎ４からＮＮまでのＮ−３台が低優先設定の通常モードの光送受信部であったとする。このとき、高速起動モードの光送受信部はＰ１、Ｐ２、Ｐ３の３台とする。
【００５２】
高速起動モードの光送受信部を３台としたのは、高優先設定の光送受信部に障害が発生したときのみ迅速に移行できればよいからである。高速起動モードで待機する光送受信部の数は高優先設定の光送受信部の数と光ネットワークシステムの重要度等に応じて決められる。例えば、高優先設定の通常モードの光送受信部が３台のときに、高速起動モードの光送受信部が２台であってもよい。通常モードでの光信号の送受信に使用されておらず、高速起動モードにも割り当てられていない光送受信部は、電力最小モードの待機状態となる。本実施形態では電力最小モードの光送受信部はＲ１からＲＬのＬ台であるとする。
【００５３】
本実施形態で通常モードの光送受信部で障害が発生し、高速起動モードの光送受信部が通常モードへ移行し、光信号の送受信に用いている光送受信部の切り替えを行う際の動作について説明する。図１５に示す通り、高優先設定で通常モードで使用されている光送受信部Ｎ２に障害が発生したとする。
【００５４】
制御部は光送受信部Ｎ２の障害を検出すると、障害の発生した光送受信部が高優先設定か低優先設定かの判断を行う。障害の発生した光送受信部Ｎ２が高優先設定なので、制御部は高速起動モードで待機状態にある光送受信部へ通常モードへの移行指示を出す。本実施形態では光送受信部Ｐ２に通常モードへの移行指示が出たとする。通常モードへの移行指示を受けた光送受信部Ｐ２は通常モードの設定状態へと移行し、移行が完了すると完了したこと示す情報を制御部へと伝達する。制御部は通常モードへ移行が完了したことを示す情報を受けると、光スイッチ部に対して光信号の経路の切り替えの指示を出す。光スイッチ部は制御部から光信号の経路の切り替え指示を受けると、障害のした光送受信部Ｎ２の行っていた光信号の送受信を通常モードへ移行した光送受信部Ｐ２が行えるように、経路の切り替えを行う。光スイッチ部は経路の切り替えが終わると、切り替えが終わったことを制御部へ伝達する。制御部は光スイッチ部の経路の切り替えが完了した情報を受け取ると、通常モードへ移行した光送受信部Ｐ２での光信号の送受信を行う。図１６は光送受信部Ｐ２が通常モードに移行し、Ｎ２が停止している状態を示している。
【００５５】
高速起動モードから通常モードへの移行が完了すると、制御部は電力最小モードで待機状態にある光送受信部に対し高速起動モードへ移行する指示を出す。高速起動モードへ移行する光送受信部の数は、高速起動モードから通常モードへと移行した光送受信部の数と同じとする。障害が発生したのは１台のみのため、電力最小モードの光送受信部Ｒ２が高速起動モードへ移行するとする。制御部から高速起動モードへ移行する指示を受けた光送受信部Ｒ２は、待機状態を高速起動モードの設定状態に変更する。電力最小モードから高速起動モードへの移行が完了した光送受信部Ｒ２は、移行が完了したことを示す情報を制御部へと送る。制御部は電力最小モードから高速起動モードへ移行した光送受信部Ｒ２から、移行の完了した情報を受信すると、障害対応での移行作業を完了する。また、制御部は必要に応じて障害が発生した光送受信部Ｎ２の電源を切るなどの処置を行う。図１７は光送受信部Ｒ２が高速起動モードへ移行し、Ｎ２が停止状態にあり移行が完了した状態を示す例である。
【００５６】
図１８では障害発生時等に各光送受信部が動作モードを移行する際の、各部の動作が時間に対して図示されている。図１８での縦方向の変化は状態に何らかの変化があったことを示す。光送受信部Ｎ２の異常が時刻Ｔｄｅｔに検知されたとする。制御部は異常を検知すると、光送受信部Ｐ１を制御し、Ｐ１の設定状態を通常モードへと移行する。光送受信部Ｐ１が通常モードに移行すると、スイッチ部が制御され、光送受信部Ｐ１がＮ２に代わって接続された状態になる。このときの時刻Ｔｓｅｔが光信号の送受信が再開された時刻であり、Ｔｓｅｔ−Ｔｄｅｔが障害対応に必要とした時間Δｔとなる。光送受信部Ｎ２は必要に応じて停止状態へと移行する。制御部は電力最小モードの光送受信部Ｒ１に対して、高速起動モードへと移行する指示を出す。光送受信部Ｒ１は高速起動モードへ移行する指示を受けると、高速起動モードの設定に移行する。
【００５７】
次に障害が発生した通常モードで使用中の光送受信部が低優先設定であった場合について説明する。図１９に示す通り高優先設定でない通常モードの光送受信部Ｎ４に障害が発生したとする。障害の発生した光送受信部Ｎ４が高優先設定ではなく低優先設定であるため、制御部は電力最小モードの光送受信部に対して通常モードへ移行する指示を出す。通常モードへの移行指示を受けたのが電力最小モードの光送受信部Ｒ４であったとする。通常モードへの移行指示を受けた光送受信部Ｒ４は、通常モードへ移行し、移行が完了すると完了したことを示す情報を制御部へと送る。制御部は通常モードへの移行が完了したことを示す情報を受け取ると、光スイッチ部に対し光信号の経路の切り替えの指示を出す。光スイッチ部は制御部から光信号の経路の切り替え指示を受けると、障害した光送受信部Ｎ４の行っていた光信号の送受信を通常モードへ移行した光送受信部Ｒ４が行えるように、経路の切り替えを行う。光スイッチ部は経路の切り替えが終わると、切り替えが終わったことを制御部へ伝達する。制御部は光スイッチ部の経路の切り替えが完了した情報を受け取ると、通常モードへ移行した光送受信部Ｒ４での光信号の送受信を行う。また、制御部は必要に応じて障害が発生した光送受信部Ｎ４の電源を切るなどの処置を行い、障害対応での移行作業を完了する。図２０は光送受信部Ｒ４が通常モードへ移行し、Ｎ４が停止状態にあることを示した図である。
【００５８】
図２１では低優先設定の光送受信部Ｎ４の障害発生時等に、Ｒ４が通常モードへ移行する際の、各部の動作が時間に対して図示されている。図２１での縦方向の変化は動作状態に何らかの変化があったことを示す。光送受信部Ｎ２の異常が時刻Ｔｄｅｔ２に検知されたとする。制御部は異常を検知すると、光送受信部Ｒ４を制御し、Ｒ４を設定状態を通常モードへと移行する。光送受信部Ｒ４が通常モードに移行すると、光スイッチ部が制御され、光送受信部Ｒ４がＮ４に代わって接続された状態になる。このときの時刻Ｔｓｅｔ２が光信号の送受信が再開された時刻であり、Ｔｓｅｔ２−Ｔｄｅｔ２が障害対応に必要とした時間Δｔ２となる。通常モードへの移行時間が長い電力最小モードからの移行が含まれるため、高速起動モードからの移行よりも時間がかかりΔｔ１＜Δｔ２となる。しかしながら、低優先の場合は移行で許容される時間は長いため、優先度を設定することにより移行に時間がかかる処理が可能となる。光送受信部Ｎ４は必要に応じて停止状態へと移行する。電力最小モードの光送受信部を通常モードへ移行した場合は、他の待機モードからのさらなる移行等はない。
【００５９】
本実施形態では通常モードの光送受信部１台に障害が発生した例を示した。２台以上に障害が発生した場合も、障害が発生した光送受信部の数と同数の光送受信部について同様に待機モードから通常モードへの移行が行われる。また、高優先設定と低優先設定の通常モードの光送受信部で同時に障害が起きた時は高優先設定の動作モードの移行が先に実施される。
【００６０】
本実施形態では高優先設定の光送受信部に障害が発生した際には、迅速な対応が必要なため通常モードへの移行の早い高速起動モードの光送受信部から移行した。一方で低優先設定の光送受信部の障害が発生した場合は、高優先設定の場合より許容される時間が長いため電力最小モードから通常モードへと移行した。優先度の低い光送受信部を障害が発生したときに、電力最小モードから移行することのより、待機時の電力使用量の多い高速起動モードで待機する光送受信部の数を抑制することができる。その結果、予備機を備えることにより信頼性を維持しつつ、光伝送装置全体の電力消費量の抑制が可能となる。
【００６１】
本実施形態では低優先設定の場合は、電力最小モードから通常モードへと移行したが、高速起動モードから通常モードへ移行する光送受信部と電力最小モードから通常モードへ移行する光送受信部が混在してよい。
【００６２】
本実施形態では優先度を設定する所定の基準を通信容量の１／２以上に設定したが、１／３以上等の他の基準値として設定してもよい。また、優先度を光送受信部の駆動電流値によって設定するなど他の基準とすることもできる。所定の基準を駆動電流値とした場合は、例えば、一定の電流の値、すなわち閾値電流を超えた場合に、高優先、それ以下の場合に低優先としてもよい。図２２は横軸を光送受信部の使用時間、縦軸に駆動電流値としたグラフを示している。光送受信部が光信号の送出に使用している半導体レーザーは時間とともに劣化するため、使用を始めた直後の駆動電流値I０から徐々に駆動電流値が上昇する。閾値Ithを定めておき、駆動電流値がIthを超えた光送受信部を高優先設定、Ith以下の場合を低優先設定としてもよい。
【００６３】
次に本発明の第４の実施形態について図２３を参照して詳細に説明する。図２３は本実施形態の光伝送装置の構成の概要を示したものである。本実施形態の光伝送装置は、光スイッチ手段４０と、複数の光送受信手段４１と、制御手段４２とを備えている。光スイッチ手段４０は、入力された光信号を任意の経路へ出力する。光送受信手段４１は、光スイッチ手段４０からの光信号の受信及び光スイッチ手段４０への光信号の送信を行う。制御手段４２は光スイッチ手段４０と光送受信手段４１の制御を行う。光送受信手段４１は光信号の送受信を行う通常モード、光信号の送受信を行わない待機状態である第１の待機モード及び第１の待機モードよりも待機状態での消費電力の小さい第２の待機モードの３つの異なる動作状態で稼働する。制御手段４２は第１の待機モードの光送受信手段を通常モードへ移行させ、第２の待機モードの光送受信手段を第１の待機モードまたは通常モードへと移行させる手段を有する。
【００６４】
本実施形態の光伝送装置を用いると、素子の一部が起動された状態にある待機状態の光送受信部を予備として備えているため、光信号の送受信に用いている光送受信部を予備の光送受信部に短時間で切り替えることが可能となる。光送受信部に不具合が生じたときにも、短時間での切り替えにより通信の停止時間を短くすることができるため、光伝送装置の信頼性が向上する。また、予備の光送受信部を２段階の待機モードで備えているため、電力使用量の大きい待機モードの光送受信手段の数を少なくすることができる。よって、本実施形態の光伝送装置では、信頼性の向上と省電力化の両立が可能となる。
【００６５】
上記の実施形態の一部又は全部は、以下の付記のようにも記載されうるが、以下には限られない。
【００６６】
（付記１）入力された光信号を任意の経路へ出力する光スイッチ手段と、前記光スイッチ手段からの光信号の受信及び前記光スイッチ手段への光信号の送信を行う複数の光送受信手段と、前記光スイッチ手段及び光送受信手段の制御を行う制御手段とを備え、前記光送受信手段は光信号の送受信を行う通常モード、光信号の送受信を行わない待機状態である第１の待機モード及び前記第１の待機モードよりも待機状態での消費電力の小さい第２の待機モードの３つの異なる動作状態で稼働する手段を有し、前記制御手段は前記第１の待機モードの光送受信手段を前記通常モードへ移行させ、前記第２の待機モードの光送受信手段を前記第１の待機モードまたは通常モードへと移行させる手段を有することを特徴とする光伝送装置。
【００６７】
（付記２）前記第１の待機モードから通常モードへの移行に要する時間よりも前記第２の待機モードから前記第１の待機モードまたは通常モードへの移行に要する時間の方が長いことを特徴とする付記１に記載の光伝送装置。
【００６８】
（付記３）前記制御手段は、前記第１の待機モードの光送受信手段を前記通常モードに移行させ、前記第１の待機モードから前記通常モードへ移行した前記光送受信手段と同数の前記第２の待機モードの光送受信手段を第１の待機状態へと移行させる手段を有することを特徴とする付記１または２いずれかに記載の光伝送装置。
【００６９】
（付記４）前記第１の待機モードの光送受信手段の数よりも前記通常モードの光送受信手段の数の方が多いことを特徴とする付記１から３いずれかに記載の光伝送装置。
【００７０】
（付記５）前記光送受信手段における光信号の送受信状況の異常の有無を監視するモニター手段をさらに有し、前記モニター手段で異常を検知した際に、前記制御手段は障害が発生した前記通常モードの光送受信手段と同数の前記第１の待機モードの光送受信手段を前記通常モードへと移行させ、さらに同数の前記第２の待機モードの光送受信手段を前記第１の待機モードへと移行させる手段を有することを特徴とする付記１から４いずれかに記載の光伝送装置。
【００７１】
（付記６）前記通常モードの光送受信手段には所定の基準により優先度が設定され、前記モニター手段により優先度の低い前記通常モードの光送受信手段での異常を検知した際に、前記制御手段は異常を検知した前記通常モードの光送受信手段と同数の前記第２の待機モードの光送受信手段を前記通常モードへと移行させる手段を有することを特徴とする付記１から５いずれかに記載の光伝送装置。
【００７２】
（付記７）前記所定の基準が通信量であることを特徴とする付記６に記載の光伝送装置。
【００７３】
（付記８）前記所定の基準が前記光送受信手段の有する光源の駆動電流の値であることを特徴とする付記６に記載の光伝送装置。
【００７４】
（付記９）付記１から８いずれかに記載の複数の光伝送装置からなることを特徴とする光ネットワークシステム。
【００７５】
（付記１０）光信号の送信及び受信を行う光送受信手段を光信号の送受信を行う通常モード、光信号の送受信を行わない待機状態である第１の待機モード及び前記第１の待機モードよりも待機状態での消費電力の小さい第２の待機モードの３つの異なる動作状態とし、前記第１の待機モードの光送受信手段を前記通常モードへ移行させ、前記第２の待機モードの光送受信手段を前記第１の待機モードまたは通常モードへと移行させることを特徴とする光伝送装置の制御方法。
【００７６】
（付記１１）前記第１の待機モードから通常モードへの移行に要する時間よりも前記第２の待機モードから前記第１の待機モードまたは通常モードへの移行に要する時間の方が長いことを特徴とする付記１０に記載の光伝送装置の制御方法。
【００７７】
（付記１２）前記第１の待機モードの光送受信手段を前記通常モードに移行する際に、前記第１の待機モードから前記通常モードへ移行した前記光送受信手段と同数の前記第２の待機モードの光送受信手段を第１の待機状態へと移行することを特徴とする付記１０または１１いずれかに記載の光伝送装置の制御方法。
【００７８】
（付記１３）前記第１の待機モードの光送受信手段の数よりも前記通常モードの光送受信手段の数の方が多いことを特徴とする付記１０から１２いずれかに記載の光伝送装置の制御方法。
【００７９】
（付記１４）前記光送受信手段における光信号の送受信状況の異常の有無を監視し、異常を検知した際に、障害が発生した前記通常モードの光送受信手段と同数の前記第１の待機モードの光送受信手段を前記通常モードへと移行し、さらに同数の前記第２の待機モードの光送受信手段を前記第１の待機モードへと移行することを特徴とする付記１０から１３いずれかに記載の光伝送装置の制御方法。
【００８０】
（付記１５）前記通常モードの光送受信手段に所定の基準により優先度を設定し、優先度の低い前記通常モードの光送受信手段での異常を検知した際に、異常を検知した前記通常モードの光送受信手段と同数の前記第２の待機モードの光送受信手段を前記通常モードへと移行することを特徴とする付記１０から１４いずれかに記載の光伝送装置の制御方法。
【００８１】
（付記１６）前記所定の基準が通信量であることを特徴とする付記１５に記載の光伝送装置の制御方法。
【００８２】
（付記１７）前記所定の基準が前記光送受信手段の有する光源の駆動電流の値であることを特徴とする付記１５に記載の光伝送装置の制御方法。
【００８３】
以上、実施形態を参照して本願発明を説明したが、本願発明は上記実施形態に限定されものではない。本願発明の構成や詳細には、本願発明のスコープ内で当業者が理解し得る様々な変更をすることができる
この出願は、２０１２年７月２５日に出願された日本出願特願２０１２−１６４２５７を基礎とする優先権を主張し、その開示の全てをここに取り込む。
【産業上の利用可能性】
【００８４】
本発明は、光通信分野における波長分割多重方式の光伝送装置等に利用することができる。
【符号の説明】
【００８５】
１１    制御部
１２    光送受信部
１３    送信側光スイッチ部
１４    受信側光スイッチ部
１５    合波部
１６    分波部
２１    光分岐挿入部
２２    光スイッチ部
２３    信号モニター部
２４    制御部
２５    光送受信部
３０    光送受信部
３１    光送受信制御部
３２    信号送受信部
３３    信号生成部
３４    インターフェース部
３５    モニター部
３６    モニター部
４０    光スイッチ手段
４１    光送受信手段
４２    制御手段
１００    伝送路
１０１    分波部
１０２    合波部
１０３    光クロスコネクト部への信号群
１０４    光クロスコネクト部からの信号群
１１０    光クロスコネクト部
【図１】
2014017083.tif 000003
【図２】
2014017083.tif 000004
【図３】
2014017083.tif 000005
【図４】
2014017083.tif 000006
【図５】
2014017083.tif 000007
【図６】
2014017083.tif 000008
【図７】
2014017083.tif 000009
【図８】
2014017083.tif 000010
【図９】
2014017083.tif 000011
【図１０】
2014017083.tif 000012
【図１１】
2014017083.tif 000013
【図１２】
2014017083.tif 000014
【図１３】
2014017083.tif 000015
【図１４】
2014017083.tif 000016
【図１５】
2014017083.tif 000017
【図１６】
2014017083.tif 000018
【図１７】
2014017083.tif 000019
【図１８】
2014017083.tif 000020
【図１９】
2014017083.tif 000021
【図２０】
2014017083.tif 000022
【図２１】
2014017083.tif 000023
【図２２】
2014017083.tif 000024
【図２３】
2014017083.tif 000025
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
入力された光信号を任意の経路へ出力する光スイッチ手段と、
前記光スイッチ手段からの光信号の受信及び前記光スイッチ手段への光信号の送信を行う複数の光送受信手段と、
前記光スイッチ手段及び光送受信手段の制御を行う制御手段とを備え、
前記光送受信手段は光信号の送受信を行う通常モード、光信号の送受信を行わない待機状態である第１の待機モード及び前記第１の待機モードよりも待機状態での消費電力の小さい第２の待機モードの３つの異なる動作状態で稼働する手段を有し、
前記制御手段は前記第１の待機モードの光送受信手段を前記通常モードへ移行させ、前記第２の待機モードの光送受信手段を前記第１の待機モードまたは通常モードへと移行させる手段を有することを特徴とする光伝送装置。
【請求項２】
前記第１の待機モードから通常モードへの移行に要する時間よりも前記第２の待機モードから前記第１の待機モードまたは通常モードへの移行に要する時間の方が長いことを特徴とする請求項１に記載の光伝送装置。
【請求項３】
前記制御手段は、前記第１の待機モードの光送受信手段を前記通常モードに移行させ、前記第１の待機モードから前記通常モードへ移行した前記光送受信手段と同数の前記第２の待機モードの光送受信手段を第１の待機状態へと移行させる手段を有することを特徴とする請求項１または２いずれかに記載の光伝送装置。
【請求項４】
前記第１の待機モードの光送受信手段の数よりも前記通常モードの光送受信手段の数の方が多いことを特徴とする請求項１から３いずれかに記載の光伝送装置。
【請求項５】
前記光送受信手段における光信号の送受信状況の異常の有無を監視するモニター手段をさらに有し、
前記モニター手段で異常を検知した際に、前記制御手段は障害が発生した前記通常モードの光送受信手段と同数の前記第１の待機モードの光送受信手段を前記通常モードへと移行させ、さらに同数の前記第２の待機モードの光送受信手段を前記第１の待機モードへと移行させる手段を有することを特徴とする請求項１から４いずれかに記載の光伝送装置。
【請求項６】
前記通常モードの光送受信手段には所定の基準により優先度が設定され、
前記モニター手段により優先度の低い前記通常モードの光送受信手段での異常を検知した際に、前記制御手段は異常を検知した前記通常モードの光送受信手段と同数の前記第２の待機モードの光送受信手段を前記通常モードへと移行させる手段を有することを特徴とする請求項１から５いずれかに記載の光伝送装置。
【請求項７】
請求項１から６いずれかに記載の複数の光伝送装置からなることを特徴とする光ネットワークシステム。
【請求項８】
光信号の送信及び受信を行う光送受信手段を光信号の送受信を行う通常モード、光信号の送受信を行わない待機状態である第１の待機モード及び前記第１の待機モードよりも待機状態での消費電力の小さい第２の待機モードの３つの異なる動作状態とし、
前記第１の待機モードの光送受信手段を前記通常モードへ移行させ、前記第２の待機モードの光送受信手段を前記第１の待機モードまたは通常モードへと移行させることを特徴とする光伝送装置の制御方法。
【請求項９】
前記光送受信手段における光信号の送受信状況の異常の有無を監視し、
異常を検知した際に、障害が発生した前記通常モードの光送受信手段と同数の前記第１の待機モードの光送受信手段を前記通常モードへと移行し、
さらに同数の前記第２の待機モードの光送受信手段を前記第１の待機モードへと移行することを特徴とする請求項８に記載の光伝送装置の制御方法。
【請求項１０】
前記通常モードの光送受信手段に所定の基準により優先度を設定し、
優先度の低い前記通常モードの光送受信手段での異常を検知した際に、異常を検知した前記通常モードの光送受信手段と同数の前記第２の待機モードの光送受信手段を前記通常モードへと移行することを特徴とする請求項８または９いずれかに記載の光伝送装置の制御方法。
【国際調査報告】
2014017083.tif 000026
2014017083.tif 000027
2014017083.tif 000028
2014017083.tif 000029